(57)【特許請求の範囲】
【請求項１】
端子（１０）と、該端子から入力される駆動電圧によって駆動する内部回路（２０）と、を有する電子回路であって、
前記端子として、電源端子（１１）と、出力端子（１２）と、を有し、
前記内部回路は、
データ信号が一時的に記憶される揮発性メモリ（２１）と、
該揮発性メモリに記憶されたデータ信号が、前記駆動電圧よりも電圧レベルの高い書き込み電圧の印加によって書き込まれる不揮発性メモリ（２２）と、
該不揮発性メモリに書き込まれたデータ信号に基づいて動作する回路部（２３）と、
前記揮発性メモリにデータ信号を書き込み、且つ、前記不揮発性メモリに記憶されたデータ信号に基づいて、前記回路部を調整する制御部（２４）と、
前記回路部及び前記制御部それぞれと電気的に接続された電源ライン（３０）、前記回路部と電気的に接続された出力ライン（３２）、及び、前記不揮発性メモリと電気的に接続されたメモリライン（３１）それぞれと前記端子との電気的な接続を切り替える切替部（２５）と、を有し、
前記切替部は、
前記内部回路が通常動作している動作期間において、前記電源端子を前記電源ラインに接続し、前記出力端子を前記出力ラインに接続し、
前記揮発性メモリから出力されるデータ信号を前記不揮発性メモリに書き込む不揮発性メモリ書き込み期間（ＰＴ８）において、前記電源端子及び前記出力端子の内、前記駆動電圧が入力される一方の端子を前記電源ラインに接続し、前記書き込み電圧が入力される他方の端子を前記メモリラインに接続することを特徴とする電子回路。
【請求項２】
前記制御部に電気的に接続された入力ライン（３３）を有し、
前記切替部は、
前記揮発性メモリにデータ信号を記憶させる揮発性メモリ記憶期間（ＰＴ４）において、前記電源端子及び前記出力端子の内、前記駆動電圧が入力される一方の端子を前記電源ラインに接続し、前記データ信号が入力される他方の端子を前記入力ラインに接続することを特徴とする請求項１に記載の電子回路。
【請求項３】
前記切替部は、前記電源ライン、及び、前記メモリラインそれぞれと前記電源端子とを電気的に開閉接続する第１スイッチ部（３４）と、前記電源ライン、前記出力ライン、及び、前記入力ラインそれぞれと前記出力端子とを電気的に開閉接続する第２スイッチ部（３５）と、前記電源ラインに電気的に接続され、前記第１スイッチ部と前記第２スイッチ部それぞれを開閉制御するスイッチ制御部（３６）と、を有することを特徴とする請求項２に記載の電子回路。
【請求項４】
前記切替部は、
前記不揮発性メモリ書き込み期間の直前である、前記電源端子と前記出力端子それぞれに駆動電圧が入力される駆動電圧入力期間（ＰＴ７）において、前記電源端子と前記出力端子それぞれを前記電源ラインと電気的に接続することを特徴とする請求項３に記載の電子回路。
【請求項５】
前記内部回路は、時間をカウントするカウント部（２６）を有し、
前記カウント部は、前記駆動電圧入力期間からカウントを開始し、所定時間後、所定時間経ったことを含むカウント信号を前記制御部に出力し、
前記制御部は、前記カウント信号受信後、前記電源端子及び前記出力端子の内、前記書き込み電圧が入力される他方の端子と前記メモリラインとを電気的に接続する指令を含む信号を前記切替部に出力することを特徴とする請求項４に記載の電子回路。
【請求項６】
電源配線における、第１スイッチ部と第２スイッチ部それぞれの一端を接続する配線（３０b）に、抵抗（３８）が設けられていることを特徴とする請求項３〜５いずれか１項に記載の電子回路。
【請求項７】
前記電源端子は前記電源ラインと電気的に接続されており、
前記切替部は、前記メモリライン、前記出力ライン、及び、前記入力ラインそれぞれと前記出力端子とを電気的に開閉接続するスイッチ部（３９）と、前記電源ラインに電気的に接続され、前記スイッチ部を開閉制御するスイッチ制御部（３６）と、を有することを特徴とする請求項２に記載の電子回路。
【請求項８】
前記接続部は、前記電源端子の電圧を観測するモニター部（３７）を有し、
前記モニター部は、前記駆動電圧よりも電圧レベルの低い切替電圧を観測すると、切替信号を前記切替部に送信し、
前記切替信号を受け取った前記切替部は、前記出力端子を前記入力ラインに接続することを特徴とする請求項２〜７いずれか１項に記載の電子回路。
【請求項９】
前記切替信号を受け取った前記切替部によって、前記出力端子が前記入力ラインに接続された際、前記出力端子には、前記回路部を調整するトリムモードへの移行を命令するトリムモード信号が入力され、
前記トリムモード信号は、多段階の電圧レベルを有するデジタル信号であることを特徴とする請求項８に記載の電子回路。
【請求項１０】
前記回路部及び前記制御部それぞれの出力信号が入力され、前記切替部の出力信号に基づいて、出力する信号を切り替えるマルチプレクサ（２７）を有することを特徴とする請求項１〜９いずれか１項に記載の電子回路。
【発明の詳細な説明】
【技術分野】
【０００１】
本発明は、複数の入力端子と、該入力端子から入力される駆動電圧によって駆動する内部回路と、を有する電子回路に関するものである。
【背景技術】
【０００２】
従来、例えば特許文献１に示されるように、アナログ回路部分を内蔵する集積回路配置構成が提案されている。この集積回路配置構成は、電圧が印加される供給電圧端子と、データを記憶する記憶装置と、記憶装置にデータを書き込む、あるいは、記憶装置からデータを読み出すインタフェース装置と、通常運転が行われているか、パラメータ化過程が導入されているかを確認する比較器と、を有する。インタフェース装置は、比較器を介して供給電圧端子と結合され、記憶装置と直接結合されている。
【０００３】
通常運転では、一定の＋５Ｖ信号が供給電圧端子に印加され、パラメータ化過程では、供給電圧端子に＋５Ｖよりも顕著に高い電圧レベルが供給電圧端子に印加される。比較器は、供給電圧端子を介してこれらの電圧が印加されると、通常運転が行われているか、あるいはパラメータ化過程が導入されているかを確認する。比較器によってパラメータ化過程だと検知された場合、インタフェース装置は、パラメータ化データによって受け取ったデータを記憶装置に書き込む、あるいは、受け取ったパラメータ化データに基づいて、記憶装置に記憶されている特定のデータを読み出す動作を行う。
【先行技術文献】
【特許文献】
【０００４】
【特許文献１】特開平１１−３３０２４９号公報
【発明の概要】
【発明が解決しようとする課題】
【０００５】
ところで、上記したように、特許文献１に示される集積配置回路構成において、インタフェース装置は、パラメータ化データ時に受け取ったデータを記憶装置に書き込む。これによれば、記憶装置は、高電圧印加によってデータが書き込まれるメモリと思われる。また、上記したように、データを記憶装置に書き込む際、＋５Ｖより顕著に高い電圧レベルがインタフェース装置に印加される。この場合、インタフェース装置の構成要素を、高電圧にも耐え得る素子で形成しなくてはならなくなる。このような素子は体格が大きいので、集積配置回路構成の体格が大きくなる、という問題があった。
【０００６】
そこで、本発明は上記問題点に鑑み、体格の増大が抑制された電子回路を提供することを目的とする。
【課題を解決するための手段】
【０００７】
上記した目的を達成するために、本発明は、端子（１０）と、該端子から入力される駆動電圧によって駆動する内部回路（２０）と、を有する電子回路であって、端子として、電源端子（１１）と、出力端子（１２）と、を有し、内部回路は、データ信号が一時的に記憶される揮発性メモリ（２１）と、該揮発性メモリに記憶されたデータ信号が、駆動電圧よりも電圧レベルの高い書き込み電圧の印加によって書き込まれる不揮発性メモリ（２２）と、該不揮発性メモリに書き込まれたデータ信号に基づいて動作する回路部（２３）と、揮発性メモリにデータ信号を書き込み、且つ、不揮発性メモリに記憶されたデータ信号に基づいて、回路部を調整する制御部（２４）と、回路部及び制御部それぞれと電気的に接続された電源ライン（３０）、回路部と電気的に接続された出力ライン（３２）、及び、不揮発性メモリと電気的に接続されたメモリライン（３１）それぞれと端子との電気的な接続を切り替える切替部（２５）と、を有し、切替部は、内部回路が通常動作している動作期間において、電源端子を電源ラインに接続し、出力端子を出力ラインに接続し、揮発性メモリから出力されるデータ信号を不揮発性メモリに書き込む不揮発性メモリ書き込み期間（ＰＴ８）において、電源端子及び出力端子の内、駆動電圧が入力される一方の端子を電源ラインに接続し、書き込み電圧が入力される他方の端子をメモリラインに接続することを特徴とする。
【０００８】
このように本発明によれば、不揮発性メモリ書き込み期間（ＰＴ８）において、電源端子（１１）及び出力端子（１２）の内、駆動電圧が入力される一方の端子を電源ライン（３０）に接続し、書き込み電圧が入力される他方の端子をメモリライン（３１）に接続する。これによれば、駆動電圧を内部回路（２０）に供給しつつ、駆動電圧よりも電圧レベルの高い書き込み電圧を不揮発性メモリ（２２）だけに印加することができる。この結果、内部回路（２０）を構成する他の要素（不揮発性メモリ（２２）を除く要素）を、高電圧にも耐え得る素子で形成しなくてもよくなり、内部回路（２０）の体格の増大が抑制される。これにより、電子回路（１００）の体格の増大が抑制される。更に言えば、メモリライン（３１）専用の端子が不要となるので、端子（１０）の数の増大が抑制される。
【０００９】
更に、本発明においては、制御部に電気的に接続された入力ライン（３３）を有し、切替部は、揮発性メモリにデータ信号を記憶させる揮発性メモリ記憶期間（ＰＴ４）において、電源端子及び出力端子の内、駆動電圧が入力される一方の端子を電源ラインに接続し、データ信号が入力される他方の端子を入力ラインに接続する構成が好ましい。これによれば、入力ライン（３３）専用の端子が不要となるので、端子（１０）の数の増大が抑制される。
【図面の簡単な説明】
【００１０】
【図１】第１実施形態に係る電子回路の概略構成を示すブロック図である。
【図２】不揮発性メモリの書き込み時のタイミングチャートである。
【図３】切り替えタイミングを示すタイミングチャートである。
【図４】不揮発性メモリの読み込み時のタイミングチャートである。
【図５】電子回路の変形例を示すブロック図である。
【発明を実施するための形態】
【００１１】
以下、本発明の実施の形態を図に基づいて説明する。
（第１実施形態）
図１〜図４に基づいて、本実施形態に係る電子回路を説明する。図１に示すように、電子回路１００は、要部として、端子１０と、内部回路２０と、を有する。内部回路２０は、端子１０から入力される駆動電圧によって駆動し、内部回路２０の出力信号は、端子１０を介して外部に出力される。
【００１２】
端子１０は、電源端子１１と、出力端子１２と、グランド端子１３と、を有する。電源端子１１には、駆動電圧、駆動電圧よりも電圧レベルの高い書き込み電圧、及び、駆動電圧よりも電圧レベルの低い切替電圧が入力され、出力端子１２には、駆動電圧、内部回路２０に動作を命令する命令信号、内部回路２０を調整するためのデータ信号が入力される。内部回路２０の出力信号は、出力端子１２を介して外部に出力され、グランド端子１３は、グランドに接続される。
【００１３】
内部回路２０は、要部として、揮発性メモリ２１と、不揮発性メモリ２２と、センサ部２３と、制御部２４と、切替部２５と、を有する。本実施形態に係る内部回路２０は、上記主要素２１〜２５の他に、カウント部２６と、マルチプレクサ２７と、入力回路２８と、コマンド認識回路２９と、を有する。内部回路２０の各構成要素２１〜２９は、複数の信号ラインで電気的に接続されており、その信号ラインとして、駆動電圧と切替電圧が入力される電源ライン３０と、書き込み電圧が入力されるメモリライン３１と、外部に信号を出力するための出力ライン３２と、命令信号とデータ信号が入力される入力ライン３３と、グランドに電気的に接続されるグランドライン（図示略）と、を有する。
【００１４】
揮発性メモリ２１は、ラッチであり、駆動電圧が入力されている間、制御部２４から入力されたデータ信号を記憶保持するものである。駆動電圧は、制御部２４を介して揮発性メモリ２１に入力され、揮発性メモリ２１からは、絶えずデータ信号が不揮発性メモリ２２に出力されている。
【００１５】
不揮発性メモリ２２は、ＥＥＰＲＯＭやＥＰＲＯＭなどの高電圧印加によってデータが書き込まれるメモリである。上記したように、揮発性メモリ２１からは絶えずデータ信号が入力されているが、不揮発性メモリ２２に書き込み電圧が入力されない限り、不揮発性メモリ２２にデータ信号は書き込まれない。換言すれば、書き込み電圧が入力された場合、不揮発性メモリ２２にデータ信号が書き込まれる。なお、駆動電圧は、制御部２４を介して不揮発性メモリ２２に入力される。
【００１６】
センサ部２３は、不揮発性メモリ２２に書き込まれたデータ信号に基づいて動作するものである。不揮発性メモリ２２のデータ信号が書き込まれることで、センサ部２３が調整される。センサ部２３が、特許請求の範囲に記載の回路部に相当する。
【００１７】
制御部２４は、揮発性メモリ２１にデータ信号を書き込み、且つ、不揮発性メモリ２２に記憶されたデータ信号に基づいて、センサ部２３を調整するものである。制御部２４は、命令信号に含まれる命令にしたがって動作する。命令信号としては、トリムモード信号、記憶信号、書き込み信号、通常動作信号、読み込み信号がある。制御部２４の動作については、電子回路１００の動作説明にて詳説する。
【００１８】
切替部２５は、内部回路２０の各構成要素２１〜２４，２６〜２９それぞれと端子１０との電気的な接続を切り替えるものである。切替部２５は、電源ライン３０及びメモリライン３１それぞれと電源端子１１とを電気的に開閉接続する第１スイッチ部３４と、電源ライン３０、出力ライン３２、及び、入力ライン３３それぞれと出力端子１２とを電気的に開閉接続する第２スイッチ部３５と、電源ライン３０に電気的に接続され、スイッチ部３４，３５それぞれを開閉制御するスイッチ制御部３６と、を有する。本実施形態に係る切替部２５は、上記構成要素３４〜３６の他に、電源端子１１の電圧を観測するモニター部３７を有する。
【００１９】
図１に示すように、電源ライン３０は、電子回路１００とは異なる他の回路と共通して電気的に接続される共通配線３０ａと、該共通配線３０ａから各構成要素２３〜２９それぞれへと延びる複数の分岐配線３０ｂと、から成る。共通配線３０ａの一端が第１スイッチ部３４を介して電源端子１１に接続され、その他端が他の回路へと延びている。そして、共通配線３０ａから第２スイッチ部３５へと延びる分岐配線３０ｂに抵抗３８が設けられ、その端部が、第２スイッチ部３５を介して出力端子１２に接続されている。これにより、第１スイッチ部３４を介して、電源端子１１と電源ライン３０とが電気的に接続されと、電源端子１１に入力される電圧が電源ライン３０に供給される。また、第２スイッチ部３５を介して、出力端子１２と電源ライン３０とが電気的に接続されると、出力端子１２に入力される電圧が電源ライン３０に供給される。後述するように、第１スイッチ部３４を介して、電源端子１１と電源ライン３０とが電気的に接続された場合、電源端子１１には、駆動電圧、若しくは、切替電圧が供給される。また、第２スイッチ部３５を介して、出力端子１２と電源ライン３０とが電気的に接続された場合、出力端子１２には、駆動電圧が供給される。メモリ２１，２２それぞれに電源ライン３０は接続されていないが、上記したように、メモリ２１，２２それぞれには、制御部２４を介して、駆動電圧が入力される。
【００２０】
メモリライン３１の一端が第１スイッチ部３４を介して電源端子１１に接続され、その他端が不揮発性メモリ２２に接続されている。これにより、第１スイッチ部３４を介してメモリライン３１と電源端子１１とが電気的に接続されと、電源端子１１に入力される電圧が不揮発性メモリ２２に入力される。後述するように、第１スイッチ部３４を介してメモリライン３１と電源端子１１とが電気的に接続された場合、電源端子１１には書き込み電圧が入力される。
【００２１】
出力ライン３２の一端が第２スイッチ部３５を介して出力端子１２に接続され、その他端がマルチプレクサ２７の出力端子に接続されている。後述するように、マルチプレクサ２７にはセンサ部２３と制御部２４それぞれの出力信号が入力され、両者のいずれかの信号が出力ライン３２に出力される。したがって、第２スイッチ部３５を介して出力ライン３２と出力端子１２とが電気的に接続されると、マルチプレクサ２７の出力信号が出力端子１２に出力される。
【００２２】
入力ライン３３の一端が第２スイッチ部３５を介して出力端子１２に接続され、その他端が入力回路２８とコマンド認識回路２９とを介して制御部２４に接続されている。これにより、第２スイッチ部３５を介して入力ライン３３と出力端子１２とが電気的に接続されると、出力端子１２に入力される信号が入力回路２８とコマンド認識回路２９とを介して制御部２４に入力される。後述するように、第２スイッチ部３５を介して入力ライン３３と出力端子１２とが電気的に接続された場合、出力端子１２には命令信号かデータ信号が入力される。
【００２３】
スイッチ制御部３６は、モニター部３７及び制御部２４それぞれの出力信号に基づいて、スイッチ部３４，３５を開閉制御しつつ、マルチプレクサ２７の動作を制御するものである。スイッチ制御部３６の動作については、電子回路１００の動作説明にて詳説する。
【００２４】
モニター部３７は、切替電圧を観測すると、切替信号をスイッチ制御部３６に送信するものである。
【００２５】
カウント部２６は、時間をカウントし、所定時間後、所定時間経ったことを含むカウント信号を制御部２４に出力するものである。
【００２６】
マルチプレクサ２７は、スイッチ制御部３６の出力信号に基づいて、センサ部２３若しくは制御部２４の出力信号を出力するものである。
【００２７】
入力回路２８は、出力端子１２から入力される信号を受信するものであり、コマンド認識回路２９は、命令信号を認識するものである。
【００２８】
次に、本実施形態に係る電子回路１００の通常動作について説明する。図１に示すように、通常動作において、電源端子１１は、第１スイッチ部３４を介して電源ライン３０に接続され、出力端子１２は、第２スイッチ部３５を介して出力ライン３２に接続されている。そして、電源端子１１に駆動電圧が入力され、出力端子１２から内部回路２０の出力信号（センサ部２３の出力信号）が出力される。通常動作において、スイッチ部３４，３５それぞれの接続状況、及び、電源端子１１に入力される電圧は変わらず、出力端子１２からはセンサ部２３の出力信号が出力される。通常動作状態において、マルチプレクサ２７はセンサ部２３の信号を出力する。
【００２９】
次に、本実施形態に係る電子回路１００の不揮発性メモリへのデータ信号書き込みを図１〜図３に基づいて説明する。図２に示すように、データ信号の書き込み期間を、第１期間ＰＴ１〜第１１期間ＰＴ１１と区切って説明する。なお、図２は、概略的な信号のタイミングを示しているに過ぎず、厳密ではない。そのために、下記に示す説明文と、図面とに若干のタイミング差が生じるかもしれないが、それは、上記したように、厳密ではないから生じる差である。
【００３０】
図２に示すように、第１期間ＰＴ１において、電源端子１１に切替電圧が入力される。モニター部３７は、切替電圧を観測すると、切替信号をスイッチ制御部３６に送信する。スイッチ制御部３６は、切替信号を受け取ると、第２スイッチ部３５を介して出力端子１２を入力ライン３３に接続する。この後、出力端子１２に、センサ部２３を調整するモードへの移行を命令するトリムモード信号が入力され、このトリムモード信号が、入力回路２８とコマンド認識回路２９とを介して制御部２４に入力される。制御部２４は、トリムモード信号が入力されると、通常動作からトリムモードへと移行する。トリムモード信号は、図２に示すように、多段階の電圧レベルを有するデジタル信号である。
【００３１】
第２期間ＰＴ２において、電源端子１１に駆動電圧が入力され、出力端子１２に記憶信号が入力される。制御部２４は、記憶信号が入力されると、データ信号を揮発性メモリ２１に記憶する状態へと移行する。
【００３２】
第３期間ＰＴ３において、制御部２４は、揮発性メモリ２１へデータ信号を記憶する状態へと正常に移行した場合、スイッチ制御部３６にスイッチ切替信号を出力しつつ、正常に移行した情報を含む応答信号をマルチプレクサ２７に出力する。スイッチ制御部３６は、スイッチ切替信号を受信すると、第２スイッチ部３５を介して出力端子１２と出力ライン３２とを電気的に接続しつつ、マルチプレクサ２７に、制御部２４の出力信号を出力するように指示する。この結果、応答信号が出力端子１２を介して外部に出力される。
【００３３】
第４期間ＰＴ４において、制御部２４は、スイッチ制御部３６にスイッチ切替信号を出力する。スイッチ制御部３６は、スイッチ切替信号を受信すると、第２スイッチ部３５を介して出力端子１２と入力ライン３３とを電気的に接続する。この後、出力端子１２にデータ信号が入力され、このデータ信号が、入力回路２８とコマンド認識回路２９とを介して制御部２４に入力される。制御部２４は、データ信号を受け取ると、受け取ったデータ信号を揮発性メモリ２１に記憶する。第４期間ＰＴ４が、特許請求の範囲に記載の揮発性メモリ記憶期間に相当する。
【００３４】
第５期間ＰＴ５において、制御部２４は、揮発性メモリ２１へのデータ信号の記憶が終了すると、スイッチ制御部３６にスイッチ切替信号を出力しつつ、記憶が終了した情報を含む応答信号をマルチプレクサ２７に出力する。スイッチ制御部３６は、スイッチ切替信号を受信すると、第２スイッチ部３５を介して出力端子１２と出力ライン３２とを電気的に接続しつつ、マルチプレクサ２７に、制御部２４の出力信号を出力するように指示する。この結果、応答信号が出力端子１２を介して外部に出力される。
【００３５】
第６期間ＰＴ６において、制御部２４は、スイッチ制御部３６にスイッチ切替信号を出力する。スイッチ制御部３６は、スイッチ切替信号を受信すると、第２スイッチ部３５を介して出力端子１２と入力ライン３３とを電気的に接続する。この後、出力端子１２に書き込み信号が入力され、この書き込み信号が、入力回路２８とコマンド認識回路２９とを介して制御部２４に入力される。制御部２４は、書き込み信号が入力されると、揮発性メモリ２１に記憶されたデータ信号を不揮発性メモリ２２に書き込む状態へと移行する。
【００３６】
第７期間ＰＴ７において、制御部２４は、スイッチ制御部３６にスイッチ切替信号を出力するとともに、カウント部２６へ、カウントを開始するカウント開始信号を送信する。スイッチ制御部３６は、スイッチ切替信号を受信すると、第２スイッチ部３５を介して出力端子１２と電源ライン３０とを電気的に接続する。この状態にて、電源端子１１と出力端子１２それぞれが電源ライン３０に接続され、出力端子１２に駆動電圧が入力される。また、カウント部２６は、カウント開始信号を受信するとカウントを開始し、図３に示すように、所定時間（５μｓ）が過ぎると、カウント信号を制御部２４に出力する。制御部２４は、カウント信号を受信すると、電源端子１１とメモリライン３１とを電気的に接続する指令を含む信号をスイッチ制御部３６に出力する。スイッチ制御部３６は、この信号を受信すると、第１スイッチ部３４を介して、電源端子１１をメモリライン３１に接続する。第７期間ＰＴ７が、特許請求の範囲に記載の駆動電圧入力期間に相当する。
【００３７】
第８期間ＰＴ８において、電源端子１１に書き込み電圧が入力される。これにより、揮発性メモリ２１から出力されるデータ信号が不揮発性メモリ２２に書き込まれる。第８期間ＰＴ８が、特許請求の範囲に記載の不揮発性メモリ書き込み期間に相当する。
【００３８】
第９期間ＰＴ９において、電源端子１１に駆動電圧が供給される。カウント部２６は、カウント開始から所定時間（５s）が過ぎると、カウント信号を制御部２４に出力する。制御部２４は、カウント信号を受信すると、電源端子１１と電源ライン３０とを電気的に接続する指令を含む信号をスイッチ制御部３６に出力する。この信号を受信すると、スイッチ制御部３６は、第１スイッチ部３４を介して、電源端子１１を電源ライン３０に接続する。この後、図２に示すように、出力端子１２への駆動電圧の供給がストップする。そして、制御部２４は、次にカウント信号を受信すると、出力端子１２と出力ライン３２とを電気的に接続する指令を含む信号をスイッチ制御部３６に出力する。スイッチ制御部３６は、この信号を受信すると、第２スイッチ部３５を介して、出力端子１２を出力ライン３２に接続する。
【００３９】
第１０期間ＰＴ１０において、制御部２４は、次にカウント部２６からカウント信号が入力されると、出力端子１２と出力ライン３２とを電気的に接続する指令を含む信号をスイッチ制御部３６に出力しつつ、不揮発性メモリ２２へのデータ信号の書き込みが終了した情報を含む応答信号をマルチプレクサ２７に出力する。スイッチ制御部３６は、この信号を受信すると、第２スイッチ部３５を介して、出力端子１２を出力ライン３２に接続しつつ、マルチプレクサ２７に、制御部２４の出力信号を出力するように指示する。この結果、応答信号が出力端子１２を介して外部に出力される。
【００４０】
第１１期間ＰＴ１１において、電源端子１１に切替電圧が入力される。モニター部３７は、切替電圧を観測すると、切替信号をスイッチ制御部３６に送信する。スイッチ制御部３６は、切替信号を受け取ると、第２スイッチ部３５を介して出力端子１２を入力ライン３３に接続する。この後、出力端子１２に、通常動作信号が入力され、この通常動作信号が、入力回路２８とコマンド認識回路２９とを介して制御部２４に入力される。制御部２４は、通常動作信号が入力されると、トリムモードから通常動作へと移行する。その後、制御部２４は、スイッチ制御部３６にスイッチ切替信号を出力する。スイッチ制御部３６は、スイッチ切替信号を受信すると、第２スイッチ部３５を介して出力端子１２と出力ライン３２とを電気的に接続する。
【００４１】
次に、本実施形態に係る電子回路１００の不揮発性メモリからのデータ信号読み込みを図１と図４に基づいて説明する。図４に示すように、データ信号の読み込み期間を、第１２期間ＰＴ１２〜第１７期間ＰＴ１７と区切って説明する。なお、図４は、概略的な信号のタイミングを示しているに過ぎず、厳密ではない。そのために、下記に示す説明文と、図面とに若干のタイミング差が生じるかもしれないが、それは、上記したように、厳密ではないから生じる差である。
【００４２】
図４に示すように、第１２期間ＰＴ１２において、電源端子１１に切替電圧が入力される。モニター部３７は、切替電圧を観測すると、切替信号をスイッチ制御部３６に送信する。スイッチ制御部３６は、切替信号を受け取ると、第２スイッチ部３５を介して出力端子１２を入力ライン３３に接続する。この後、出力端子１２に、トリムモード信号が入力され、このトリムモード信号が、入力回路２８とコマンド認識回路２９とを介して制御部２４に入力される。制御部２４は、トリムモード信号が入力されると、通常動作からトリムモードへと移行する。
【００４３】
第１３期間ＰＴ１３において、電源端子１１に駆動電圧が入力され、出力端子１２に読み込み信号が入力される。制御部２４は、読み込み信号が入力されると、不揮発性メモリ２２からデータ信号を読み込む状態へと移行する。
【００４４】
第１４期間ＰＴ１４において、制御部２４は、不揮発性メモリ２２からデータ信号を読み込む状態へと正常に移行した場合、スイッチ制御部３６にスイッチ切替信号を出力しつつ、正常に移行した情報を含む応答信号をマルチプレクサ２７に出力する。スイッチ制御部３６は、スイッチ切替信号を受信すると、第２スイッチ部３５を介して出力端子１２と出力ライン３２とを電気的に接続しつつ、マルチプレクサ２７に、制御部２４の出力信号を出力するように指示する。この結果、応答信号が出力端子１２を介して外部に出力される。
【００４５】
第１５期間ＰＴ１５において、制御部２４は、スイッチ制御部３６にスイッチ切替信号を出力する。スイッチ制御部３６は、スイッチ切替信号を受信すると、第２スイッチ部３５を介して出力端子１２と入力ライン３３とを電気的に接続する。この後、制御部２４とマルチプレクサ２７とを介して、不揮発性メモリ２２に記憶されたデータ信号が、出力端子１２に出力される。
【００４６】
第１６期間ＰＴ１６において、制御部２４は、不揮発性メモリ２２のデータ信号の読み込みが終了すると、スイッチ制御部３６にスイッチ切替信号を出力しつつ、読み込みが終了した情報を含む応答信号をマルチプレクサ２７に出力する。スイッチ制御部３６は、スイッチ切替信号を受信すると、第２スイッチ部３５を介して出力端子１２と出力ライン３２とを電気的に接続しつつ、マルチプレクサ２７に、制御部２４の出力信号を出力するように指示する。この結果、応答信号が出力端子１２を介して外部に出力される。
【００４７】
第１７期間ＰＴ１７において、電源端子１１に切替電圧が入力される。モニター部３７は、切替電圧を観測すると、切替信号をスイッチ制御部３６に送信する。スイッチ制御部３６は、切替信号を受け取ると、第２スイッチ部３５を介して出力端子１２を入力ライン３３に接続する。この後、出力端子１２に、通常動作信号が入力され、この通常動作信号が、入力回路２８とコマンド認識回路２９とを介して制御部２４に入力される。制御部２４は、通常動作信号が入力されると、トリムモードから通常動作へと移行する。その後、制御部２４は、スイッチ制御部３６にスイッチ切替信号を出力する。スイッチ制御部３６は、スイッチ切替信号を受信すると、第２スイッチ部３５を介して出力端子１２と出力ライン３２とを電気的に接続する。
【００４８】
次に、本実施形態に係る電子回路１００の作用効果を説明する。上記したように、第８期間ＰＴ８において、駆動電圧が入力される出力端子１２が電源ライン３０に接続され、書き込み電圧が入力される電源端子１１がメモリライン３１に接続される。これによれば、駆動電圧を内部回路２０に供給しつつ、駆動電圧よりも電圧レベルの高い書き込み電圧を不揮発性メモリ２２だけに印加することができる。この結果、内部回路２０を構成する他の要素（不揮発性メモリ２２を除く要素）を、高電圧にも耐え得る素子で形成しなくてもよくなり、内部回路２０の体格の増大が抑制される。これにより、電子回路１００の体格の増大が抑制される。更に言えば、メモリライン３１専用の端子が不要となるので、端子１０の数の増大が抑制される。
【００４９】
第４期間ＰＴ４において、第１スイッチ部３４を介して電源端子１１と電源ライン３０とが電気的に接続され、第２スイッチ部３５を介して出力端子１２と入力ライン３３とが電気的に接続される。これによれば、入力ライン３３専用の端子が不要となるので、端子１０の数の増大が抑制される。
【００５０】
第７期間ＰＴ７において、電源端子１１と出力端子１２それぞれが電源ライン３０に接続され、出力端子１２に駆動電圧が入力される。これによれば、第８期間ＰＴ８において、出力端子１２と電源ライン３０とが電気的に接続された状態にて、電源端子１１とメモリライン３１とが電気的に接続される。そのため、電源ライン３０に駆動電圧が入力されなくなることが抑制される。
【００５１】
共通配線３０ａから第２スイッチ部３５へと延びる分岐配線３０ｂに抵抗３８が設けられている。これによれば、第７期間ＰＴ７において、第１スイッチ部３４と第２スイッチ部３５とがそれぞれ電源ライン３０に接続された際に、第１スイッチ部３４と第２スイッチ部３５とに印加される微小な電圧の違いによって、意図しない電流が内部回路２０や外部に流れることが抑制される。
【００５２】
第１期間ＰＴ１において、モニター部３７は、切替電圧を観測すると、切替信号をスイッチ制御部３６に送信する。スイッチ制御部３６は、切替信号を受け取ると、第２スイッチ部３５を介して出力端子１２を入力ライン３３に接続する。
【００５３】
これによれば、電源端子１１に切替電圧を入力することで、切替部２５への切り替えを指令することができる。そのため、別途、切替信号を切替部２５へ入力するための端子１０を設けなくともよくなる。
【００５４】
トリムモード信号は、多段階の電圧レベルを有するデジタル信号である。これによれば、トリムモード信号が、１段階の電圧レベルのデジタル信号（ＨｉとＬｏのみから成るデジタル信号）である構成と比べて、トリムモード信号が複雑なので、制御部２４のトリムモード状態への移行が妨げられることが抑制される。
【００５５】
マルチプレクサ２７は、スイッチ制御部３６の出力信号に基づいて、センサ部２３若しくは制御部２４の出力信号を出力する。これによれば、センサ部２３と制御部２４それぞれの出力信号を外部に出力するための端子１０が不要となる。
【００５６】
以上、本発明の好ましい実施形態について説明したが、本発明は上記した実施形態になんら制限されることなく、本発明の主旨を逸脱しない範囲において、種々変形して実施することが可能である。
【００５７】
本実施形態では、切替部２５は、ライン３０，３１それぞれと電源端子１１とを電気的に開閉接続する第１スイッチ部３４と、ライン３０，３２，３３それぞれと出力端子１２とを電気的に開閉接続する第２スイッチ部３５と、スイッチ部３４，３５それぞれを開閉制御するスイッチ制御部３６と、を有する例を示した。しかしながら、図５に示すように、電源端子１１が電源ライン３０に固定して接続された構成において、切替部２５が、メモリライン３１、出力ライン３２、及び、入力ライン３３それぞれと出力端子１２とを電気的に開閉接続するスイッチ部３９と、スイッチ部３９を開閉制御するスイッチ制御部３６と、を有する構成を採用することもできる。この変形例の場合、第８期間ＰＴ８において、スイッチ部３９を介して出力端子１２とメモリライン３１とが電気的に接続され、出力端子１２に書き込み電圧が入力される。
【００５８】
これによれば、切替部２５が電源端子１１と出力端子１２それぞれに対応したスイッチ部３４，３５を有する構成と比べて、構成が簡素化される。また、電源端子１１と電源ライン３０とが電気的に接続されているので、スイッチ部３４，３５の切替によって、電源ライン３０に駆動電圧が入力されなくなることが抑制される。更に言えば、電源端子１１と出力端子１２それぞれが電気的に接続されることもないので、両端子に入力される微小な電圧の違いによって、意図しない電流が内部回路２０や外部に流れることが抑制される。
【符号の説明】
【００５９】
１０・・・端子
２０・・・内部回路
２１・・・揮発性メモリ
２２・・・不揮発性メモリ
２４・・・制御部
２５・・・切替部
３０・・・電源ライン
３１・・・メモリライン
３２・・・出力ライン
１００・・・電子回路
【図１】
0005796536.tif 000002
【図２】
0005796536.tif 000003
【図３】
0005796536.tif 000004
【図４】
0005796536.tif 000005
【図５】
0005796536.tif 000006